(57)【特許請求の範囲】
【請求項１】
バーナの加熱により給水を熱交換する給湯熱交換器の出湯路から分岐し給湯電磁弁を介して浴槽への湯張り動作を行なうと共に、循環する浴槽水をバーナで加熱された風呂熱交換器で熱交換して所定温度に沸き上げる追い焚き動作と、循環する浴槽水を浄化手段を通過させて汚れを除去する浄化動作とを備えた風呂給湯器であって、
浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、
浄化運転モードは、浴槽水がろ過槽を通過するように、バイパス三方弁を上部往き通路側に、排水三方弁をろ過槽側に、正逆三方弁を浴槽側にそれぞれ通路を切り替え、高温殺菌運転モードは、浴槽水がろ過槽を通過するように、バイパス三方弁を風呂熱交換器側に、排水三方弁をろ過槽側に、正逆三方弁を浴槽側にそれぞれ通路を切り替え、かつ浴槽水を風呂熱交換器で高温に加熱した風呂給湯器。
【発明の詳細な説明】
【０００１】
【発明の属する技術分野】
本発明は、給湯・風呂の追焚き及び浴槽水の浄化・殺菌を可能にする風呂給湯器に関するものである。
【０００２】
【従来の技術】
従来の風呂給湯器は図４に示すような構成になっていた。
【０００３】
図において、水は水入口より水量センサ１、水温センサ２を通り、給湯熱交換器３で熱を吸収して、給湯センサ４、水量制御弁５を通り、湯出口より放出される。ガスはガス入口より給湯元電磁弁６、ガスの給湯比例弁７を通り、給湯バーナ８で燃焼される。
【０００４】
浴槽水は循環ポンプ３２により、風呂接続アダプタ１９、戻り通路１３、水位センサ１４、切替え三方弁１５、風呂センサ９、水流スイッチ１０、風呂熱交換器１１、往き通路１２、風呂接続アダプタ１９と循環する。風呂センサ９で検出する湯温が低下したときには、風呂元電磁弁１６、風呂比例弁１７を通過してきたガスは風呂バーナ１８で燃焼する。そしてここで発生した熱を風呂熱交換器１１によって吸収し、浴槽水の追焚きを行う。
【０００５】
浴槽への湯はりは、給湯熱交換器３によって熱を吸収した湯が給湯センサ４、水量制御弁５を通り、給湯電磁弁２０、縁切弁２１、往き通路１２および風呂の戻り通路１３を通って、風呂接続アダプタ１９から浴槽に入る。
【０００６】
【発明が解決しようとする課題】
しかしながら、上記従来の風呂給湯器では、浴槽内で溜まる垢や湯の汚れのために、複数の人が続けて入浴したり、浴槽の水を続けて使用することは大変不潔であり、これをきれいにするためには浴槽の湯を交換しかつ浴槽を清掃しなければならないため、大変不経済であり手間のかかる作業であるという課題を有していた。
【０００７】
【課題を解決するための手段】
本発明は、浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、浄化運転モードは、浴槽水がろ過槽を通過するように、バイパス三方弁を上部往き通路側に、排水三方弁をろ過槽側に、正逆三方弁を浴槽側にそれぞれ通路を切り替え、高温殺菌運転モードは、浴槽水がろ過槽を通過するように、バイパス三方弁を風呂熱交換器側に、排水三方弁をろ過槽側に、正逆三方弁を浴槽側にそれぞれ通路を切り替え、かつ浴槽水を風呂熱交換器で高温に加熱したものである。
【０００８】
上記発明によれば、浴槽内で溜まる垢や細菌の汚れをろ過槽内のアルミ電極に通電することにより水酸化アルミで結合して凝集し、凝集した異物をろ過槽内のろ過材で除去することにより、浴槽水を常にきれいにでき、またろ過槽内に凝集したばい菌を高温殺菌できるため、複数の人が続けて入浴しても、清潔さを保つことができる。
【０００９】
【発明の実施の形態】
本発明は、バーナの加熱により給水を熱交換する給湯熱交換器の出湯路から分岐し給湯電磁弁を介して浴槽への湯張り動作を行なうと共に、循環する浴槽水をバーナで加熱された風呂熱交換器で熱交換して所定温度に沸き上げる追い焚き動作と、循環する浴槽水を浄化手段を通過させて汚れを除去する浄化動作とを備えた風呂給湯器であって、浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、浄化運転モードは、浴槽水がろ過槽を通過するように、バイパス三方弁を上部往き通路側に、排水三方弁をろ過槽側に、正逆三方弁を浴槽側にそれぞれ通路を切り替え、高温殺菌運転モードは、浴槽水がろ過槽を通過するように、バイパス三方弁を風呂熱交換器側に、排水三方弁をろ過槽側に、正逆三方弁を浴槽側にそれぞれ通路を切り替え、かつ浴槽水を風呂熱交換器で高温に加熱したものである。
【００１０】
そして、浴槽内で溜まる垢や湯の汚れをろ過槽内のアルミ電極に通電することにより凝集し、凝集した異物をろ過槽内のろ過材で除去することにより、浴槽水を常にきれいにでき、またろ過槽内に凝集したばい菌を高温殺菌できるため、複数の人が続けて入浴したり、浴槽の水を続けて使用しても、清潔さを保つことができる。
【００１１】
（実施例）
以下、本発明の実施例における風呂給湯器について図面を用いて説明する。なお、従来と同一構成要素のものについては同一番号を付し説明する。
【００１２】
図１において、水は水入口より水量センサ１、水温センサ２を通り、給湯熱交換器３で熱を吸収して、給湯センサ４、水量制御弁５を通り、湯出口より放出される。ガスはガス入口より給湯元電磁弁６、ガスの給湯比例弁７を通り、給湯バーナ８で燃焼される。
【００１３】
浴槽水は循環ポンプ３２により、風呂接続アダプタ１９、戻り通路１３、水位センサ１４、切替え三方弁１５、風呂センサ９、水流スイッチ１０、バイパス三方弁２２、風呂熱交換器１１、上部往き通路２３、排水三方弁２４、ろ過材２５とアルミ電極２６を備えたろ過槽２７、正逆三方弁２９、往き通路１２、風呂接続アダプタ１９と循環する。浴槽水の風呂センサ９で検出する湯温が低下したときには、ガスが風呂元電磁弁１６、風呂比例弁１７を通り、風呂バーナ１８で燃焼し、風呂熱交換器１１で熱を吸収して、浴槽水の追焚きを行う。
【００１４】
浴槽への湯はりは、給湯熱交換器３で熱を吸収した湯が給湯センサ４、給湯水量制御弁５を通り、給湯電磁弁２０、縁切弁２１、往き通路１２および風呂の戻り通路１３を通って、風呂接続アダプタ１９から浴槽に入る。
【００１５】
図２（ａ）、（ｂ）は本発明の浄化手段を示し、循環ポンプ３２を「弱運転」とし、循環水がろ過槽２７を通過するときに、ろ過槽内のアルミ電極２６に約５ｍＡ通電することにより浴槽内で溜まる垢や湯の汚れを凝集し、凝集した異物をろ過槽内のろ過材２５で除去することができ、浴槽水を常にきれいにでき、複数の人が続けて入浴しても、清潔さを保つことができる。
【００１６】
図３（ａ）、（ｂ）は本発明の高温殺菌手段を示し、風呂熱交換器で加熱した約７０〜７５℃の高温水を風呂熱交換器１１、上部往き通路２３、排水三方弁２４、ろ過材２５とアルミ電極２６を備えたろ過槽２７、正逆三方弁２９、往き通路１２、風呂接続アダプタ１９へ流し、ろ過槽内の高温殺菌を行うことにより、ろ過槽内のばい菌を高温で殺菌して死滅させ、ろ過槽を清潔に保つことができる。
【００１７】
【発明の効果】
以上のように、本発明の風呂給湯器は、浴槽内で溜まる垢や細菌の汚れをろ過槽内のアルミ電極に通電することにより水酸化アルミで結合して凝集し、凝集した異物をろ過槽内のろ過材で除去することにより、浴槽水を常にきれいにでき、またろ過槽内に凝集したばい菌を高温殺菌できるため、複数の人が続けて入浴しても、清潔さを保つことができる。
【図面の簡単な説明】
【図１】本発明の実施例の風呂給湯器の構成図
【図２】（ａ）同給湯器の浄化手段を示す図
（ｂ）同浄化手段の浄化運転モードのフローチャート
【図３】（ａ）同給湯器の高温殺菌手段を示す図
（ｂ）同高温殺菌手段の高温殺菌運転モードのフローチャート
【図４】従来の風呂給湯器の構成図
【符号の説明】
９  風呂センサ
１０  水流スイッチ
１１  風呂熱交換器
１２  往き通路
１３  戻り通路
１４  水位センサ
１５  切替え３方弁
１８  風呂バーナ
２２  バイパス三方弁
２３  上部往き通路
２４  排水３方弁
２５  ろ過材
２６  アルミ電極
２７  ろ過槽
２８  下部往き通路
２９  正逆３方弁
３０  排水口
３１  バイパス通路
３２  循環ポンプ
【図１】
0003903507.tif 000002
【図２】
0003903507.tif 000003
【図３】
0003903507.tif 000004
【図４】
0003903507.tif 000005